(57)【要約】【課題】前傾したシリンダ軸線のシリンダブロックおよびシリンダヘッドを少なくとも有するエンジンが車体フレームに搭載され、エンジンが備えるクランクケースに、エンジンとともにパワーユニットを構成する変速機を収容する変速機ケースが結合され、前傾したシリンダ軸線のシリンダヘッドに上流端が接続される排気管がパワーユニットの下方を通って後方に延出される車両において、エンジンをより低位置に配置することを可能として低重心化を図る。【解決手段】変速機ケース４８の底壁４８ａの下面に、排気管９４の少なくとも上部を収容する収容凹部９８が設けられる。【選択図】        図４
2006097644.tif 000002
【特許請求の範囲】
【請求項１】
前傾したシリンダ軸線のシリンダブロック（２９，２９Ｆ）およびシリンダヘッド（３０，３０Ｆ）を少なくとも有するエンジン（ＥＡ，ＥＢ）が車体フレーム（Ｆ）に搭載され、前記エンジン（ＥＡ，ＥＢ）が備えるクランクケース（２８）に、前記エンジン（ＥＡ，ＥＢ）とともにパワーユニット（ＰＡ，ＰＢ）を構成する変速機（Ｍ）を収容する変速機ケース（４８）が結合され、前傾したシリンダ軸線の前記シリンダヘッド（３０，３０Ｆ）に上流端が接続される排気管（９４）が前記パワーユニット（ＰＡ，ＰＢ）の下方を通って後方に延出される車両において、前記変速機ケース（４８）の底壁（４８ａ）の下面に、前記排気管（９４）の少なくとも上部を収容する収容凹部（９８）が設けられることを特徴とする車両におけるエンジン排気構造。
【請求項２】
前記エンジン（ＥＢ）は、前傾したシリンダ軸線の前部バンク（ＢＦ）ならびに該前部バンク（ＢＦ）とは略Ｖ字形をなす後部バンク（ＢＲ）を有してＶ型に構成され、後部バンク（ＢＲ）が備えるシリンダヘッド（３０Ｒ）の後部側面に連なる排気管（９５）が、メインスタンド（６８）を回動可能に軸支するようにして前記パワーユニット（ＰＢ）の後部に対応する位置に配置されるメインスタンド軸（６７）よりも後方で、前部バンク（ＢＦ）のシリンダヘッド（３０Ｆ）に連なって前記パワーユニット（ＰＢ）の下方を通る排気管（９４）と並列するようにして、前記クランクケース（２８）の一側から前記変速機ケース（４８）の後部を潜るように彎曲して形成されることを特徴とする請求項１記載の車両におけるエンジン排気構造。
【発明の詳細な説明】
【技術分野】
【０００１】
本発明は、前傾したシリンダ軸線のシリンダブロックおよびシリンダヘッドを少なくとも有するエンジンが車体フレームに搭載され、前記エンジンが備えるクランクケースの一側に、前記エンジンとともにパワーユニットを構成する変速機を収容する変速機ケースが結合され、前傾したシリンダ軸線の前記シリンダヘッドに上流端が接続される排気管が前記パワーユニットの下方を通って後方に延出される車両に関し、特に、エンジンの排気構造の改良に関する。
【背景技術】
【０００２】
このような車両が、たとえば特許文献１で知られている。
【特許文献１】特開２００４−１１６４２３号公報
【発明の開示】
【発明が解決しようとする課題】
【０００３】
ところで、上記特許文献１で開示されたものでは、Ｖ型エンジンが車体フレームに搭載されており、該Ｖ型エンジンのうち前傾したシリンダ軸線を有する前部バンクのシリンダヘッドに連なる排気管は、エンジンおよび変速機で構成されるパワーユニットの下方を、パワーユニットの底面との間に間隔をあけて通るように配設されている。このため、最低地上高を確保してエンジンを低位置に配置し、車両の低重心化を図るにあたって、エンジンの低位置配置に制限がある。
【０００４】
本発明は、かかる事情に鑑みてなされたものであり、エンジンをより低位置に配置することを可能として低重心化を図ることを可能とした車両におけるエンジン排気構造を提供することを目的とする。
【課題を解決するための手段】
【０００５】
上記目的を達成するために、請求項１記載の発明は、前傾したシリンダ軸線のシリンダブロックおよびシリンダヘッドを少なくとも有するエンジンが車体フレームに搭載され、前記エンジンが備えるクランクケースの一側に、前記エンジンとともにパワーユニットを構成する変速機を収容する変速機ケースが結合され、前傾したシリンダ軸線の前記シリンダヘッドに上流端が接続される排気管が前記パワーユニットの下方を通って後方に延出される車両において、前記変速機ケースの底壁の下面に、前記排気管の少なくとも上部を収容する収容凹部が設けられることを特徴とする。
【０００６】
また請求項２記載の発明は、上記請求項１記載の発明の構成に加えて、前記エンジンは、前傾したシリンダ軸線の前部バンクならびに該前部バンクとは略Ｖ字形をなす後部バンクを有してＶ型に構成され、後部バンクが備えるシリンダヘッドの後部側面に連なる排気管が、メインスタンドを回動可能に軸支するようにして前記パワーユニットの後部に対応する位置に配置されるメインスタンド軸よりも後方で、前部バンクのシリンダヘッドに連なって前記パワーユニットの下方を通る排気管と並列するようにして、前記クランクケースの一側から前記変速機ケースの後部を潜るように彎曲して形成されることを特徴とする。
【発明の効果】
【０００７】
上記請求項１記載の発明によれば、排気管をパワーユニットにより近接させるようにして上方に配置することが可能であり、それにより最低地上高を確保してエンジンをより低位置に配置し、車両の低重心化を図ることができる。
【０００８】
また請求項２記載の発明によれば、後部バンクの後方に確保すべき排気管の配置スペースを比較的小さくし、後部バンクの後方のスペースを他の用途に有効利用することができる。
【発明を実施するための最良の形態】
【０００９】
図１〜図９は本発明の第１実施例を示すものであり、図１はスクータ型自動二輪車の側面図、図２はスクータ型自動二輪車の前部を拡大して示す縦断側面図、図３はパワーユニットの平面図、図４は図３の４矢視図、図５は図３の５矢視図、図６は図１の６−６線断面図、図７はハンドルロック装置付近を拡大して示す一部切欠き側面図、図８はスクータ型自動二輪車の後部を拡大して示す縦断側面図、図９は図８の９−９線断面図である。
【００１０】
先ず図１において、このスクータ型自動二輪車の車体フレームＦは、前輪ＷＦを軸支するフロントフォーク１５ならびに該フロントフォーク１５に連結される操向ハンドル１６を操向可能に支承するヘッドパイプ１７と、該ヘッドパイプ１７から後ろ下がりに延びる左右一対のダウンパイプ１８…と、それらのダウンパイプ１８…の下方で前記ヘッドパイプ１７に連設されるとともに両ダウンパイプ１８…よりも急傾斜で後下がりに延びる左右一対のロアパイプ１９…と、それらのロアパイプ１９…の下端に連設されて後方に延びるとともに前記両ダウンパイプ１８…の後端が中間部に連設される左右一対のメインパイプ２０…とを備える。
【００１１】
前記ロアパイプ１９…の下端にはそれらのロアパイプ１９…の延長方向に延びるエンジンハンガブラケット１９ａ…が接合される。前記メインパイプ２０…は、ロアパイプ１９…および前記エンジンハンガブラケット１９ａ…の接合部近傍から後方に延出されるものであり、この実施例ではエンジンハンガブラケット１９ａ…がメインパイプ２０…のロアパイプ１９…の下端への連結部材としての機能を果たすことになる。また左右で対をなすダウンパイプ１８…およびロアパイプ１９…の中間部間には補強用連結板２１…が設けられる。
【００１２】
図２を併せて参照して、前記メインパイプ２０は、前記ロアパイプ１９のたとえば下端から後上がりに延びる前半傾斜部２０ａと、後下がりに延びる後半傾斜部２０ｂと、上方に膨らむように彎曲して前半傾斜部２０ａの後端および後半傾斜部２０ｂの前端間を結ぶ彎曲部２０ｃとが一体に連なって成るものであり、後述の図４で明示するように、上下方向を左右方向よりも長くした略直角四辺形の角筒から成る。しかも前記前半傾斜部２０ａの中間部に前記ダウンパイプ１８の下端が溶接により連設される。
【００１３】
前記後半傾斜部２０ｂの前部には連結板２２が溶接により接合されており、後上がりに延びるシートレール２３の前端が前記連結板２２に連結され、左右一対のシートレール２３…の後部は相互に一体に連結される。しかもこの実施例では、前記連結板２２の前端側の一部が彎曲部２０ｃにかかるように配置されており、それにより連結板２２およびシートレール２３を効率よくメインパイプ２０における後半傾斜部２０ｂの前部に結合することができる。またシートレール２３…の後部には、前端を後半傾斜部２０ｂの後端に接合せしめて後上がりに延びるリヤパイプ２４…の後端がそれぞれ溶接により接合される。さらに左右で対をなすシートレール２３…およびリヤパイプ２４…の中間部間には補強用連結板２５…が設けられる。
【００１４】
図３〜図５を併せて参照して、車体フレームＦには、４サイクルであるエンジンＥＡと、該エンジンＥＡの出力を変速する無段変速機Ｍとから成るパワーユニットＰＡが、後輪ＷＲを駆動すべく搭載される。前記エンジンＥＡは、たとえば水冷式単気筒に構成されるものであり、クランクケース２８と、前傾したシリンダ軸線を有してクランクケース２８から前方に延びるシリンダブロック２９と、クランクケース２８とは反対側でシリンダブロック２９に結合されるシリンダヘッド３０と、シリンダヘッド３０の頂部に結合されるヘッドカバー３１とを備える。
【００１５】
ところで前記車体フレームＦにおけるダウンパイプ１８…の下端近傍で前記両メインパイプ２０…の前半傾斜部２０ａ…には第１のエンジンハンガ３２…が設けられており、前記エンジンＥＡにおけるクランクケース２８の上部が第１のエンジンハンガ３２…に支持される。またロアパイプ１９…の下端に連なるエンジンハンガブラケット１９ａ…の下端には、第２のエンジンハンガ３３…が一対のボルト４３…で取付けられており、前記クランクケース２８の前側下部が第２のエンジンハンガ３３…にボルト４４で締結、支持される。
【００１６】
このようにして剛性の高い部分でエンジンＥＡを両メインパイプ２０…に支持することができ、しかも第１のエンジンハンガ３２…は前記ダウンパイプ１８…の中心線の延長線を両側から挟む一対のボルト２６…の締結によって両メインパイプ２０…の前半傾斜部２０ａ…に設けられ、前記エンジンＥＡのクランクケース２８は、前記ダウンパイプ１８…の中心線の延長線上に配置されるボルト２７の締結により第１のエンジンハンガ３２…に支持されるものであり、効率よくかつ剛性をより高くしてクランクケース２８を第１のエンジンハンガ３２…に支持することができる。
【００１７】
図６において、クランクケース２８に回転自在に支承されるクランクシャフト３４は、一対のクランクウエブ３４ａ，３４ａと、それらのクランクウエブ３４ａ，３４ａ間を結ぶクランクピン３４ｂとを一体に備えるものであり、シリンダブロック２９に摺動自在に嵌合されるピストン３５は、前記両クランクウエブ３４ａ，３４ａ間のクランクピン３４ｂにコネクティングロッド３６を介して連結される。
【００１８】
自動二輪車の進行方向に沿う左側で、クランクシャフト３４の一端部はクランクケース２８から突出されており、このクランクシャフト３４の一端部に固定されるロータ３７と、該ロータ３７内に収容されるステータ３８とでＡＣ発電機３９が構成され、該ＡＣ発電機３９は、クランクケース２８に結合される左カバー４０で覆われ、前記ステータ３８は左カバー４０に固定される。
【００１９】
また前記シリンダヘッド３０に配設される吸気弁および排気弁（図示せず）を開閉駆動する動弁装置の一部を構成するようにして前記シリンダヘッド３０に回転自在に支承されるカムシャフト４１と、前記クランクケース２８およびＡＣ発電機３９間のクランクシャフト３４との間には、調時伝動装置４２が設けられており、クランクシャフト３４の回転動力は前記調時伝動装置４２によって１／２に減速されて前記カムシャフト４１に伝達される。
【００２０】
自動二輪車の進行方向に沿う右側で前記クランクケース２８には、該クランクケース２８から後方に延びるケース主体４５が連結されており、このケース主体４５の右側に締結される右カバー４６と、前記ケース主体４５の後部右側に締結されるギヤケース４７と、前記ケース主体４５とで変速機ケース４８が構成され、ケース主体４５および右カバー４６間には変速室４９が形成され、ケース主体４５およびギヤケース４７間にはギヤ室５０が形成される。
【００２１】
前記変速機ケース４８の変速室４９には、クランクシャフト３４の回転動力を無段階に変速して後輪側に伝達するためのベルト式の無段変速機Ｍが収納される。該無段変速機Ｍは、変速室４９内に臨むクランクシャフト３４の他端部に装着されるドライブプーリ５１と、クランクシャフト３４と平行な軸線を有して変速機ケース４８の後部に回転自在に支承される伝動軸５４の変速室４９内に臨む部分に装着されるドリブンプーリ５２と、ドライブプーリ５１およびドリブンプーリ５２に巻き掛けられる無端状のベルト５３とを備える。
【００２２】
ドライブプーリ５１は、図示しない電動モータ等の作動によって前記クランクシャフト３４の軸方向にスライドするスライド筒５６のスライド動作によって前記ベルト５３の巻き掛け半径を変化させるものである。またドリブンプーリ５２は、ドライブプーリ５１でのベルト５３の巻き掛け半径の変化に応じて巻き掛け半径をドライブプーリ５１とは反対側に変化させるものであり、このドリブンプーリ５２および伝動軸５４間に遠心クラッチ５５が介装される。
【００２３】
前記伝動軸５４の他端側はギヤ室５０に臨んで配置されており、この伝動軸５４と平行な軸線を有する出力軸５７がケース主体４５およびギヤケース４７で回転自在に支承され、ギヤ室５０には、前記伝動軸５４の回転動力を減速して前記出力軸５７に伝達する減速ギヤ列５８が収容される。また前記出力軸５７の一端部は、ギヤケース４７の後部を貫通してギヤケース４７の後部左側に突出される。
【００２４】
ところで後輪ＷＲの車軸５９はスイングアーム６０の後部に軸支されており、このスイングアーム６０の前端には、前記変速機ケース４８の一部を構成するケース主体４５およびギヤケース４７の後部間を相互に挟む一対の支持腕部６０ａ，６０ｂが設けられる。而して一方の支持腕部６０ａは、前記出力軸５７に相対回転自在に支承され、他方の支持腕部６０ｂは、前記出力軸５７と同軸にして前記ケース主体４５の後部に設けられた支軸６１で回動可能に支承される。すなわちスイングアーム６０の前端部は前記変速機ケース４８で上下に揺動可能に支承されることになる。
【００２５】
前記出力軸５７の一端は、前記スイングアーム６０が備える一方の支持腕部６０ａから突出されており、該出力軸５７の前記支持腕部６０ａからの突出部に駆動スプロケット６２が固定される。一方、自動二輪車の進行方向に沿う左側で後輪ＷＲの車軸５９には従動スプロケット６３が固定されており、駆動スプロケット６２および従動スプロケット６３に無端状のチェーン６４が巻き掛けられる。しかも前記支持腕部６０ａの前端外面側には駆動スプロケット６２を覆うスプロケットカバー６５が取付けられる。
【００２６】
前記変速機ケース４８の後部には上方に延びる一対のブラケット６６…が設けられており、それらのブラケット６６…は、メインパイプ２０…の後端部に支持される。また図１および図５で明示するように、変速機ケース４８の後方側下部には、一対のメインスタンド軸６７…が同軸に設けられており、それらのメインスタンド軸６７…でメインスタンド６８が回動可能に軸支される。また前記両メインパイプ２０…における彎曲部２０ｃ…間にはクロスパイプ７１が架設されており、このクロスパイプ７１と、前記スイングアーム６０の前部に設けられたクッション用ブラケット６０ｃとの間に、前後に延びる軸線を有するリヤクッション７２が設けられる。
【００２７】
図２に注目して、シリンダヘッド３０の上部側面にはスロットルボディ７４の下流端が接続される。また車体フレームＦにおける両ダウンパイプ１８…を跨ぐように燃料タンク９０Ａが配置されており、スロットルボディ７４の上流端には、エンジンＥＡの前方かつ前記燃料タンク９０Ａの下方に配置されるエアクリーナ７６Ａが接続され、スロットルボディ７４には燃料噴射弁７７が取り付けられる。
【００２８】
エアクリーナ７６Ａは、クリーナケース１５８内にクリーナエレメント１５９が収納されて成るものである。クリーナケース１５８は、上方側に開いた椀状の第１ケース部材１６０と、下方に開いた椀状にして第１ケース部材１６０に上方から結合される第２ケース部材１６１と、前方に開いた椀状にして第１および第２ケース部材１６０，１６１との間にクリーナエレメント１５９を挟むようにして第１および第２ケース部材１６０，１６１に結合される第３ケース部材１６２とから成り、クリーナケース１５８内はクリーナエレメント１５９よりも後方の未浄化室１６３と、クリーナエレメント１５９よりも前方の浄化室１６４とに区画される。
【００２９】
第３ケース部材１６２の上部には、未浄化室１６３に通じる外気導入管１６５が上方の足くぐり空間１３５に臨むようにして接続され、第２ケース部材１６１を介してスロットルボディ７４の上流端に下流端を接続せしめた吸気管１６６が浄化室１６４に収納される。
【００３０】
水冷式であるエンジンＥＡで温められたエンジン冷却水を冷却するためのラジエータ９１が該エンジンＥＡよりも前方に配置される。このラジエータ９１の下部には、車体フレームＦが備えるエンジンハンガブラケット１９…側に向けて突出する取付け腕部１６８…が設けられ、この取付け腕部１６８…は、エンジンハンガブラケット１９ａ…に設けられたブラケット１６９…にマウントゴム１７０…を介して支持される。またラジエータ９１の上部には、その上方のロアパイプ１９…側に向けて突出する取付け腕部１７１…が設けられ、ロアパイプ１９…に設けられたブラケット１７２…に、前記取付け腕部１７１…が図示しないマウントゴムを介して支持される。すなわちラジエータ９１は、車体フレームＦのロアパイプ１９…およびエンジンハンガブラケット１９ａ…に支持される。
【００３１】
エンジンＥＡにおけるシリンダヘッド３０の下部側面には、該シリンダヘッド３０から下方に略Ｃ字状に彎曲して後方に延びる排気管９４の上流端が接続され、この排気管９４は、パワーユニットＰＡの下方を後方に延びるとともにパワーユニットＰＣの後方で後輪ＷＲの右側に向けて立ち上がるように形成されるものであり、前記パワーユニットＰＡのケースの一部を構成する変速機ケース４８における底壁４８ａの下面には、前記排気管９４の少なくとも上部を収容する収容凹部９８が設けられ、排気管９４の下流端は、後輪ＷＲの右側に配置される排気マフラー９７に接続される。
【００３２】
しかも前記収容凹部９８は、図６で示すように、クランクシャフト３４におけるドライブプーリ５１側のクランクウエブ３４ａと、ドライブプーリ５１との間に配置されるものであり、これにより比較的大径であるドライブプーリ５１に巻き掛けられるベルト５３と干渉することを回避して、変速機ケース４８における底壁４８ａの下面に収容凹部９８を無理なく形成することができる。
【００３３】
図７において、車体フレームＦの前端のヘッドパイプ１７には、操向ハンドル１６のロック状態およびアンロック状態を切換可能なロック機構１０１が設けられ、このロック機構１０１は、ロック機構１０１から離隔した位置に配置されるキーシリンダ錠１０２の操作によって切換え作動する。
【００３４】
ロック機構１０１は、前記操向ハンドル１６およびフロントフォーク１５に連なるようにしてヘッドパイプ１７に回動可能に嵌合される操向軸１０３に挿脱可能に係合し得るロックピン１０４を有してヘッドパイプ１７の前面側に配設されるものであり、ヘッドパイプ１７の前面に固着された支持枠１０５に、前記ロックピン１０４が操向軸１０３の軸線に直交する方向での作動を可能として保持される。
【００３５】
中空円筒状である前記操向軸１０３の側壁には係合孔１０６が設けられており、操向軸１０３が所定の回動位置であるときに前記係合孔１０６に同軸に連なる挿通孔１０７がヘッドパイプ１７の前面に設けられる。而して前記支持枠１０５は、前記ヘッドパイプ１７に前方側から対向する支持板部１０５ａを有しており、この支持板部１０５ａを軸方向移動自在に貫通するロックピン１０４の一端が、前記係合孔１０６への係合を可能として前記挿通孔１０７に挿通される。
【００３６】
またロックピン１０４の他端には半径方向外に張り出す鍔部１０４ａが設けられており、前記支持枠１０５の支持板部１０５ａおよび鍔部１０４ａ間に縮設されるばね１０８により、ロックピン１０４はその一端の前記係合孔１０６への係合を解除する側にばね付勢される。
【００３７】
また前記ロックピン１０４の他端には、支持枠１０５にピン１０９で回動可能に支承されるカム１１０が当接されており、このカム１１０が、図５の実線で示す回動位置にあるときに、前記ロックピン１０４の軸方向位置は、その一端が係合孔１０６への係合を解除して挿通孔１０７内に在る位置に定められる。
【００３８】
ところでヘッドパイプ１７にはその前方斜め上方に延びるステー１１１が固着されており、このステー１１１の上端に、操向ハンドル１６の中央部前方に配置されるメータ１１２が取付けられ、またヘッドランプ１１３を支持する支持部材１１４がステー１１１の上部に取付けられる。
【００３９】
キーシリンダ錠１０２のシリンダボディ１１５は、前記メータ１１２の近傍でステー１１１に取付けられており、正規のキー１１６を挿入して回動操作するのに応じて回動するロータ１１７がシリンダボディ１１５内に回動可能に挿入されており、このロータ１１７の外面には軸方向に間隔をあけて一対のピン１１８，１１９が突設される。
【００４０】
ロック機構１０１およびキーシリンダ錠１０２間には、中間部がピン１２０によって前記ステー１１１に回動可能に支承されるリンク部材１２１が配置されており、このリンク部材１２１の一端部は、前記ロータ１１７が備える一対のピン１１８，１１９間に挟まれる。またリンク部材１２１の他端部に設けられる長孔１２２に、前記ロック機構１０１のカム１１０にその偏心位置で植設される連結ピン１２３が挿通される。
【００４１】
而してキーシリンダ錠１０２をキー１１６で操作すると、ロータ１１７の回動によって一対のピン１１８，１１８が周方向に変位するのに応じてリンク部材１２１が、図７の実線で示す位置および鎖線で示す位置間で揺動し、ロック機構１０１では、前記リンク部材１２１の揺動に応じてカム１１０が図７の実線で示す位置および鎖線で示す位置間で回動し、それによりロックピン１０４が操向軸１０３との係合を解除する位置ならびに操向軸１０３に係合する位置間で軸方向に移動することになる。すなわちキーシリンダ錠１０２のロータ１１７に該ロータ１１７の回動に応じて揺動するようにしてリンク部材１２１の一端部が連結され、ロック機構１０１は、リンク部材１２１の揺動に応じてロック状態およびアンロック状態を切換えるべく作動するように構成されてリンク部材１２１の他端部に連結されることになる。
【００４２】
図１に注目して、燃料タンク９０Ａ、エアクリーナ７６ＡおよびパワーユニットＰＡと、車体フレームＦとは、合成樹脂から成る車体カバー１２５で覆われるものであり、この車体カバー１２５は、ヘッドパイプ１７の前部および前輪ＷＦの上部を覆うとともにヘッドランプ１１３が取付けられるフロントカバー１２６と、ヘッドパイプ１７および燃料タンク９０Ａを後方側から覆ってフロントカバー１２６に連なるセンターカバー１２７と、前記フロントカバー１２６の左右両側に接合されて乗員の脚部前方を覆う左右一対のレッグシールド１２８…と、乗員の足元を支持すべくレッグシールド１２８…に連なる左右一対の足載せ部１２９…（図４参照）と、それらの足載せ部１２９…間で上方に隆起してセンタンカバー１２７の後部に連なるフロアトンネル部１３０と、前記両足載せ部１２９…の外縁から下方にそれぞれ垂下されるスカート部１３１…（図４参照）と、車体フレームＦの後部の左右両側を覆って足載せ部１２９…およびフロアトンネル部１３０に接合されるリヤカバー１３２とを備える。
【００４３】
リヤカバー１３２上には、操向ハンドル１６を操向操作する車両運転者を座乗せしめるとともに車両運転者の後方に同乗者を乗せ得るようにしたタンデム型の乗車用シート１３３が開閉可能に設けられる。ところで、この乗車用シート１３３は、燃料タンク９０Ａよりも後方に配置されるものであり、車体カバー１２５のうち燃料タンク９０Ａを後方側から覆うセンターカバー１２７と、該センターカバー１２７の後部に連なるフロアトンネル部１３０と、前記乗車用シート１３３が設けられるリヤカバー１３２とで、側面視を略Ｕ字形としてエアクリーナ７６Ａの上方に位置する足くぐり空間１３５が、前方側の燃料タンク９０Ａと、後方側の乗車用シート１３３との間に配置されるようにして形成され、ラジエータ９１、ならびに車体フレームＦにおける両ダウンパイプ１８…および両ロアパイプ１９…も前記足くぐり空間１３５よりも前方に配置される。
【００４４】
図８および図９において、前記乗車用シート１３３の下方には、該乗車用シート１３３の底板１４１で上端開口部が開閉可能に閉鎖されるようにして収納ボックス１４０が配置され、該収納ボックス１４０は、前記シートレール２３…およびリヤパイプ２４…で支持される。
【００４５】
ところで収納ボックス１４０は、車体フレームＦのクロスパイプ７１およびスイングアーム６０間に設けられるリヤクッション７２の上方に配置されるものであり、収納ボックス１４０における底壁１４０ａには、前記リヤクッション７２をその軸線が前記底壁１４０ａの下面よりも上方位置となるようにして収納する収納凹部１４２が設けられる。しかも該収納凹部１４２は、図９で明示するように、収納ボックス１４０の幅方向中央部に配置されるものであり、そのような収納凹部１４２の配置により、バイザー１４４を開放して上方に上げた状態にあるジェット型のヘルメット１４３を収納ボックス１４０に収納することが可能となる。
【００４６】
次にこの第１実施例の作用について説明すると、車体フレームＦにおける前端のヘッドパイプ１７と、該ヘッドパイプ１７で操向可能に支承される操向ハンドル１６を操作する車両運転者が座る乗車用シート１３３との間に配置される側面視略Ｕ字形の足くぐり空間１３５が車体カバー１２５で形成されており、車体フレームＦは、足くぐり空間１３５の前方でヘッドパイプ１７から後下がりに延びる左右一対のダウンパイプ１８…と、それらのダウンパイプ１８…の下方に配置されるとともにヘッドパイプ１７から後下がりに延びる左右一対のロアパイプ１９…と、それらのロアパイプ１９…の下端から後方に延びるとともに両ダウンパイプ１８…の下端が中間部に連設される左右一対のメインパイプ２０…とを備え、メインパイプ２０は、ロアパイプ１９の下端から後上がりに延びるとともにダウンパイプ１８の下端が中間部に連設される前半傾斜部２０ａと、後下がりに延びる後半傾斜部２０ｂと、上方に膨らむように彎曲して前半傾斜部２０ａの後端および後半傾斜部２０ｂの前端間を結ぶ彎曲部２０ｃとが一体に連なって成るものである。
【００４７】
このような車体フレームＦの構造によれば、メインパイプ２０が、ロアパイプ１９の下端から後上がりに延び、さらに上方に彎曲した後に後下がりに延びる形状に形成されるので、メインパイプ２０の下方空間を比較的大きくとり、エンジンＥＡの形状の自由度を増大することができるとともに、メインパイプ２０の中間の彎曲部２０ｃを適切にしならせることも可能となるので操縦性の最適化を図ることができる。
【００４８】
またダウンパイプ１８…の下端近傍でメインパイプ２０…の前半傾斜部２０ａ…に、エンジンＥＡを支持する第１のエンジンハンガ３２…が設けられるので、ダウンパイプ１８…との連結で剛性が強くなっている部分でメインパイプ２０…にエンジンＥＡを支持するようにして、エンジンＥＡを効率的にかつ確実に車体フレームＦに支持することができる。
【００４９】
また乗車用シート１３３を支持するようにして後上がりに延びる左右一対のシートレール２３…の前端が、両メインパイプ２０…における後半傾斜部２０ｂ…の前部にそれぞれ接合されることにより、メインパイプ２０…およびシートレール２３…がなす角度を適性にすることが可能となり、シートレール２３…のメインパイプ２０…への接合剛性を高めることができるとともに、バランス良くしならせることができる。
【００５０】
しかもメインパイプ２０…が、上下方向を左右方向よりも長くした直角四辺形の横断面形状を有する角筒から成るものであるので、メインパイプ２０…の上下方向の剛性を高く、また左右方向にはしなりを持たせるようにして、より快適な操縦性を得ることができる。
【００５１】
ところで、後輪ＷＲを後部に軸支するスイングアーム６０の前部は変速機ケース４８で上下に揺動可能に支承されており、車体フレームＦおよびスイングアーム６０間に設けられるリヤクッション７２の上方かつ車両運転者が座る乗車用シート１３３の下方に収納ボックス１４０が配置されるのであるが、収納ボックス１４０の底壁１４０ａの下面には、リヤクッション７２をその中心軸線が前記底壁１４０ａの下面よりも上方位置となるようにして収納する収納凹部１４２が設けられるので、リヤクッション７２との間に隙間を設けつつ収納ボックス１４０の底壁１４０ａをより低い位置に設定することができ、収納ボックス１４０の容量を大きく確保することが可能となる。
【００５２】
さらに操向ハンドル１６のロック状態およびアンロック状態を切換可能なロック機構１０１と、該ロック機構１０１に切換操作力を作用せしめるキーシリンダ錠１０２とが相互に離隔して配置されるのであるが、キーシリンダ錠１０２のロータ１１７に該ロータ１１７の回動に応じて揺動するようにしてリンク部材１２１の一端部が連結され、前記ロック機構１０１は、前記リンク部材１２１の揺動に応じてロック状態およびアンロック状態を切換えるべく作動するように構成されてリンク部材１２１の他端部に連結される。
【００５３】
したがってキーシリンダ錠１０２からの操作力がリンク部材１２１の揺動によってロック機構１０１側に伝達されることになり、キーシリンダ錠１０２およびロック機構１０１間の操作力伝達構造を部品点数を少なくして簡単に構成することができ、しかもキーシリンダ錠１０２の操作に節度感を得ることができ商品性を向上せしめることができる。
【００５４】
またキーシリンダ錠１０２が、操向ハンドル１６の前方でメータ１１２の近傍に配置されるので、車両運転者によるキーシリンダ錠１０２の操作を容易とすることができる。
【００５５】
図１０は本発明の第２実施例のスクータ型自動二輪車の側面図、図１１はスクータ型自動二輪車の前部を拡大して示す縦断側面図、図１２は吸気系を省略した状態でのパワーユニットの平面図、図１３は図１２の１３矢視図、図１４は図１２の１４矢視図、図１５は図１０の１５−１５線断面図、図１６はスクータ型自動二輪車の後部を拡大して示す縦断側面図であり、上記第１実施例に対応する部分には同一の参照符号を付して図示するのみとし、詳細な説明は省略する。
【００５６】
先ず図１０および図１１において、このスクータ型自動二輪車の車体フレームＦは、上記第１実施例と同様に構成されており、この車体フレームＦには、４サイクルであるエンジンＥＢと、該エンジンＥＢの出力を変速する無段変速機Ｍとから成るパワーユニットＰＢが、後輪ＷＲを駆動すべく搭載される。
【００５７】
図１２〜図１４を併せて参照して、前記エンジンＥＢは、たとえば水冷式２気筒のＶ型に構成されるものであり、クランクケース２８と、わずかに前上がりに前傾したシリンダ軸線を有してクランクケース２８から前方に延びる前部バンクＢＦと、該前部バンクＢＦとＶ形をなすようにして前記クランクケース２８から上方に延びる後部バンクＢＲとを有し、各バンクＢＦ，ＢＲは、クランクケース２８に結合されるシリンダブロック２９Ｆ，２９Ｒと、クランクケース２８とは反対側でシリンダブロック２９Ｆ，２９Ｒに結合されるシリンダヘッド３０Ｆ，３０Ｒと、シリンダヘッド３０Ｆ，３０Ｒの頂部に結合されるヘッドカバー３１Ｆ，３１Ｒとをそれぞれ備える。
【００５８】
車体フレームＦにおけるダウンパイプ１８…の下端近傍で前記両メインパイプ２０…の前半傾斜部２０ａ…に設けられた第１のエンジンハンガ３２…には、エンジンＥＢにおける前部および後部バンクＢＦ，ＢＲ間でクランクケース２８の上部が支持され、後部バンクＢＲは、両メインパイプ２０…の彎曲部２０ｃ…間に配置される。またロアパイプ１９０…の下端に連なるエンジンハンガブラケット１９ａ…の下端に取付けられた第２のエンジンハンガ３３…には、前部バンクＢＦの下方で前記クランクケース２８の下部が支持される。
【００５９】
図１５において、前記両バンクＢＦ，ＢＲのピストン３５…は、クランクケース２８に回転自在に支承されるクランクシャフト３４が備える両クランクウエブ３４ａ，３４ｂ間のクランクピン３４ｂにコネクティングロッド３６…を介して共通に連結される。
【００６０】
また前記両バンクＢＦ，ＢＲのシリンダヘッド３０Ｆ，３０Ｒにそれぞれ配設される吸気弁および排気弁（図示せず）を開閉駆動する動弁装置の一部を構成するようにして前記両シリンダヘッド３０Ｆ，３０Ｒにそれぞれ回転自在に支承されるカムシャフト４１…と、前記クランクケース２８およびＡＣ発電機３９間のクランクシャフト３４との間には、調時伝動装置４２が設けられており、クランクシャフト３４の回転動力は前記調時伝動装置４２によって１／２に減速されて前記カムシャフト４１…に伝達される。
【００６１】
クランクケース２８に結合された変速機ケース４８の後部に設けられて上方に延びる一対のブラケット６６…は、メインパイプ２０…の後端部に支持される。また両メインパイプ２０…における彎曲部２０ｃ…間に架設されるクロスパイプ７１と、スイングアーム６０の前部に設けられたクッション用ブラケット６０ｃとの間に、前後に延びる軸線を有するリヤクッション７２が設けられる。
【００６２】
図１１に注目して、エンジンＥＢの吸気系７３は、前部および後部バンクＢＦ，ＢＲ間でそれらのバンクＢＦ，ＢＲのシリンダヘッド３０Ｆ，３０Ｒの一側面に下流端が接続されるスロットルボディ７４Ｆ，７４Ｒと、両スロットルボディ７４Ｆ，７４Ｒの上流端にそれぞれ接続される吸気管７５Ｆ，７５Ｒと、それらの吸気管７５Ｆ，７５Ｒが共通に接続されるようにして前部バンクＢＦの上方に配置されるエアクリーナ７６Ｂとを備え、各スロットルボディ７４Ｆ，７４Ｒには燃料噴射弁７７Ｆ，７７Ｒが取り付けられる。
【００６３】
エアクリーナ７６Ｂは、クリーナケース７８内にクリーナエレメント７９が収納されて成るものである。クリーナケース７８は、上方に開いた椀状の第１ケース部材８０と、クリーナケース７８内を上方の未浄化室８３および下方の浄化室８４に仕切る仕切り壁８１ａを一体に有する第２ケース部材８１と、下方に開いた椀状の第３ケース部材８２とが、第２ケース部材８１の周縁部を第１および第３ケース部材８０，８２の周縁部間に挟持するようにして結合されて成るものであり、前記仕切り壁８１ａに設けられた流通孔８５に上方側すなわち未浄化室８３側からクリーナエレメント７９が着脱可能に装着される。
【００６４】
前記吸気管７５Ｆ，７５Ｒは浄化室８４に突入するようにしてクリーナケース７８に接続され、未浄化室８３に通じる吸気孔８６がクリーナケース７８における第３ケース部材８２の側部に設けられる。
【００６５】
エアクリーナ７６Ｂのクリーナケース７８は、その上下方向の長さよりも前後方向の長さを大として形成されるものであり、このエアクリーナ７６Ｂの上方で両ダウンパイプ１８…を跨ぐように配置される燃料タンク９０Ｂが、車体フレームＦの前部すなわち両ダウンパイプ１８…に搭載、支持される。
【００６６】
また前記クリーナケース７８の天井壁すなわち第３ケース部材８２の天井壁８２ａは、燃料タンク９０Ｂの底壁９０Ｂａに対向して前後にほぼ水平に延びるように形成され、第２ケース部材８１の仕切り壁８１ａも前後にほぼ水平に延びるように形成される。
【００６７】
前記エンジンＥＢにおける前部バンクＢＦの前方かつ前記エアクリーナ７６Ｂの下方には、水冷式であるエンジンＥＢで温められたエンジン冷却水を冷却するためのラジエータ９１が配置され、このラジエータ９１は車体フレームＦのロアパイプ１９…に支持される。而してこのラジエータ９１、前記燃料タンク９０Ｂおよび前記エアクリーナ７６Ｂは、車体カバー１２５で形成される足くぐり空間１３５よりも前方に配置される。
【００６８】
しかも前記エアクリーナ７６Ｂにおけるクリーナケース７８の下部すなわち第１ケース部材８０には、前方からの走行風をラジエータ９１側に導く導風板９２が一体に設けられており、この導風板９２は、クリーナケース７８の前端下部からラジエータ９１側に向けて後下がりに傾斜して延出される。
【００６９】
エアクリーナ７６Ｂのクリーナケース７８における第２ケース部材８１の後部には、図１１で明示するように、該クリーナケース７８内に収納されるクリーナエレメント７９を交換するためのエレメント交換窓１３６が、前記足くぐり空間１３５側に臨んで設けられ、該エレメント交換窓１３６は、開閉可能な蓋部材１３７で閉じられる。
【００７０】
またクリーナケース７８の天井壁８２ａは、燃料タンク９０Ｂの底壁９０Ｂａに対向して前後にほぼ水平に延びるように形成されるものであり、クリーナエレメント７９も、前記エレメント交換窓１３６からほぼ水平に引き出すことを可能として、前記天井壁８２ａに対向したほぼ水平な姿勢でクリーナケース７８内に配置されている。なお前記エレメント交換窓１３６に対応してフロアトンネル部１３０には、蓋部材１３７の開閉操作およびクリーナエレメント７９の挿脱を可能とした開口部が設けられる。
【００７１】
エンジンＥＢの排気系９３は、前部バンクＢＦにおけるシリンダヘッド３０Ｆの下部側面に上流端が接続されてパワーユニットＰＢの下方を後方に延びる排気管９４と、後部バンクＢＲにおけるシリンダヘッド３０Ｒの後部側面に上流端が接続される排気管９５と、それらの排気管９４，９５の下流端に共通に連なる集合排気管９６と、後輪ＷＲの右側に配置されるようにして集合排気管９６に接続される排気マフラー９７とを備える。
【００７２】
前部バンクＢＦの排気管９４は、シリンダヘッド３０Ｆから下方に略Ｃ字状に彎曲し、前記パワーユニットＰＢの下方を通って後方に延び、パワーユニットＰＢの後方で後輪ＷＲの右側に向けて立ち上がるように形成されるものであり、前記パワーユニットＰＢのケースの一部を構成する変速機ケース４８における底壁４８ａの下面には、前記排気管９４の少なくとも上部を収容する収容凹部９８が設けられる。
【００７３】
しかも前記収容凹部９８は、図１５で示すように、クランクシャフト３４におけるドライブプーリ５１側のクランクウエブ３４ａと、ドライブプーリ５１との間に配置されるものであり、これにより比較的大径であるドライブプーリ５１との干渉を回避して、変速機ケース４８における底壁４８ａの下面に、収容凹部９８を無理なく形成することができる。
【００７４】
図１６を併せて参照して、後部バンクＢＲの排気管９５は、メインスタンド軸６７よりも後方で、前部バンクＢＦの前記排気管９４と並列するようにして、クランクケース２８の左側から変速機ケース４８の後部を潜るように彎曲して形成される。すなわち後部バンクＢＲの排気管９５は、シリンダヘッド３０Ｒからクランクケース２８および変速機ケース４８の左側に延び、さらに変速機ケース４８の後部を潜って前記メインスタンド軸６７よりも後方で前部バンクＢＦの前記排気管９４と並列するように形成される。このとき排気管９５は、エンジンＥＢの最下部よりも上方かつメインスタンド軸６７よりも上方でクランクケース２８の右側に延びるように形成される。
【００７５】
集合排気管９６は、パワーユニットＰＢの後方側で並列配置される両排気管９４，９５の下流端に共通に接続され、この集合排気管９６の下流端に排気マフラ９７の上流端が接続され、その接続位置は、排気管９５が前記クランクケース２８の右側に延びるように彎曲する位置よりも上方である。
【００７６】
また車体フレームＦの前端のヘッドパイプ１７には、操向ハンドル１６のロック状態およびアンロック状態を切換可能なロック機構１０１が設けられ、このロック機構１０１は、第１実施例と同様にして、ロック機構１０１から離隔した位置に配置されるキーシリンダ錠１０２の操作に応じたリンク部材１２１の揺動動作に応じて、操向ハンドル１６のロック状態およびアンロック状態を切換える。
【００７７】
乗車用シート１３３の下方には、該乗車用シート１３３の底板１４１で上端開口部が開閉可能に閉鎖される収納ボックス１４０が配置され、この収納ボックス１４０における底壁１４０ａには、リヤクッション７２をその軸線が前記底壁１４０ａの下面よりも上方位置となるようにして収納する収納凹部１４２が設けられる。
【００７８】
この第２実施例によれば、上記第１実施例と同様に、メインパイプ２０の下方空間を比較的大きくとり、エンジンＥＢの形状の自由度を増大することができるとともに、メインパイプ２０の中間の彎曲部２０ｃを適切にしならせることも可能となるので操縦性の最適化を図ることができ、またダウンパイプ１８…との連結で剛性が強くなっている部分でメインパイプ２０…にエンジンＥＢを支持するようにして、エンジンＥＢを効率的にかつ確実に車体フレームＦに支持することができる。
【００７９】
またリヤクッション７２との間に隙間を設けつつ収納ボックス１４０の底壁１４０ａをより低い位置に設定することができ、収納ボックス１４０の容量を大きく確保することが可能となる。
【００８０】
またエンジンＥＢの前方に配置されるラジエータ９１側に延びる導風板９２がエアクリーナ７６Ｂにおけるクリーナケース７８に一体に連設されるので、部品点数の低減を可能としつつ、ラジエータ９１側に走行風を効果的に導いてラジエータ９１を冷却することができる。
【００８１】
しかも足くぐり空間１３５が、燃料タンク９０Ｂ、エアクリーナ７６Ｂおよびラジエータ９１よりも後方に配置されるので、スクータ型自動二輪車において、燃料タンク９０Ｂおよびエアクリーナ７６Ｂの容量を確保しつつ、ラジエータ９１の後方に嵩のある部材を配置することがないようにして導風板９２の導風効果をより引き出すことができる。
【００８２】
さらにキーシリンダ錠１０２およびロック機構１０１間の操作力伝達構造を部品点数を少なくして簡単に構成することができ、しかもキーシリンダ錠１０２の操作に節度感を得ることができ商品性を向上せしめることができる。
【００８３】
さらに車体フレームＦに搭載されたＶ型のエンジンＥＢの前部バンクＢＦは、前傾したシリンダ軸線のシリンダブロック２９Ｆおよびシリンダヘッド３０Ｆを有するものであり、そのエンジンＥＢのクランクケース２８の右側に、エンジンＥＢとともにパワーユニットＰＢを構成する無段変速機Ｍを収容する変速機ケース４８が結合され、前傾したシリンダ軸線のシリンダヘッド３０Ｆに上流端が接続される排気管９４がパワーユニットＰＢの下方を通って後方に延出されるのであるが、変速機ケース４８における底壁４８ａの下面には、排気管９４の少なくとも上部を収容する収容凹部９８が設けられている。
【００８４】
したがって排気管９４をパワーユニットＰＢにより近接させるようにして上方に配置することが可能であり、それにより最低地上高を確保してエンジンＥＢをより低位置に配置し、車両であるスクータ型自動二輪車の低重心化を図ることができる。
【００８５】
またエンジンＥＢの後部バンクＢＲが備えるシリンダヘッド３０Ｒの後部側面に連なる排気管９５が、メインスタンド６８を回動可能に軸支するようにしてパワーユニットＰＢの後部に対応する位置に配置されるメインスタンド軸６７よりも後方で、前部バンクＢＦのシリンダヘッド３０Ｆに連なって前記パワーユニットＰＢの下方を通る排気管９４と並列するようにして、クランクケース２８の左側から変速機ケース４８の後部を潜るように彎曲して形成される。これによれば、後部バンクＢＲの後方に確保すべき排気管９５の配置スペースを確保することができ、後部バンクＢＲの後方のスペースを他の用途に有効利用することも可能となる。またエンジンＥＢの最低部よりも上方に排気管９５を通すことが可能となるので、最低地上高を確保し易く、スクータ型自動二輪車の低重心化を図ることができる。
【００８６】
またＶ型のエンジンＥＢが、その前部および後部バンクＢＦ，ＢＲ間で第１のエンジンハンガ３２…に支持されるようにして車体フレームＦに搭載されており、後部バンクＢＲが両メインパイプ２０…の彎曲部２０ｃ間に配置されるので、メインパイプ２０…のうち剛性が比較的高い部分にＶ型のエンジンＥＢの前部および後部バンクＢＦ，ＢＲ間を支持するようにして、Ｖ型のエンジンＥＢを車体フレームＦに効率良く搭載することができる。
【００８７】
また車体フレームＦに搭載されるエンジンＥＢに連なる吸気系７３の一部を構成するエアクリーナ７６Ｂが、燃料タンク９０Ｂの下方に配置され、エアクリーナ７６Ｂのクリーナケース７８に、該クリーナケース７８内に収納されるクリーナエレメント７９を交換するためのエレメント交換窓１３６が、足くぐり空間１３５側に臨んで設けられるので、エアクリーナ７６Ｂのクリーナエレメント７９を交換する際に，エレメント交換窓１３６を開いた状態でクリーナエレメント７９を足くぐり空間１３５側から容易に交換することができる。
【００８８】
またクリーナケース７８の天井壁８２ａが、燃料タンク９０Ｂの底壁９０Ｂａに対向して前後にほぼ水平に延びるように形成され、クリーナエレメント７９が、エレメント交換窓１３６からほぼ水平に引き出すことを可能として天井壁８２ａに対向したほぼ水平な姿勢でクリーナケース７８内に配置されるので、燃料タンク９０Ｂおよびエアクリーナ７６Ｂをそれぞれの容量を充分に確保しつつ効率良く配置することができる。
【００８９】
しかもエアクリーナ７６Ｂのクリーナケース７８が、その上下方向の長さよりも前後方向の長さを大として形成されるので、エアクリーナ７６Ｂの容量を充分に確保して効率良く配置することができる。
【００９０】
以上、本発明の実施例を説明したが、本発明は上記実施例に限定されるものではなく、特許請求の範囲に記載された本発明を逸脱することなく種々の設計変更を行うことが可能である。
【図面の簡単な説明】
【００９１】
【図１】第１実施例のスクータ型自動二輪車の側面図である。
【図２】スクータ型自動二輪車の前部を拡大して示す縦断側面図である。
【図３】パワーユニットの平面図である。
【図４】図３の４矢視図である。
【図５】図３の５矢視図である。
【図６】図１の６−６線断面図である。
【図７】ハンドルロック装置付近を拡大して示す一部切欠き側面図である。
【図８】スクータ型自動二輪車の後部を拡大して示す縦断側面図である。
【図９】図８の９−９線断面図である。
【図１０】第２実施例のスクータ型自動二輪車の側面図である。
【図１１】スクータ型自動二輪車の前部を拡大して示す縦断側面図である。
【図１２】吸気系を省略した状態でのパワーユニットの平面図である。
【図１３】図１２の１３矢視図である。
【図１４】図１２の１４矢視図である。
【図１５】図１０の１５−１５線断面図である。
【図１６】スクータ型自動二輪車の後部を拡大して示す縦断側面図である。
【符号の説明】
【００９２】
２８・・・クランクケース
２９，２９Ｆ・・・シリンダブロック
３０，３０Ｆ，３０Ｒ・・・シリンダヘッド
４８・・・変速機ケース
４８ａ・・・底壁
６８・・・メインスタンド
６７・・・メインスタンド軸
９４，９５・・・排気管
９８・・・収容凹部
ＢＦ・・・前部バンク
ＢＲ・・・後部バンク
ＥＡ，ＥＢ・・・エンジン
Ｆ・・・車体フレーム
Ｍ・・・変速機
ＰＡ，ＰＢ・・・パワーユニット
【図１】
2006097644.tif 000003
【図２】
2006097644.tif 000004
【図３】
2006097644.tif 000005
【図４】
2006097644.tif 000006
【図５】
2006097644.tif 000007
【図６】
2006097644.tif 000008
【図７】
2006097644.tif 000009
【図８】
2006097644.tif 000010
【図９】
2006097644.tif 000011
【図１０】
2006097644.tif 000012
【図１１】
2006097644.tif 000013
【図１２】
2006097644.tif 000014
【図１３】
2006097644.tif 000015
【図１４】
2006097644.tif 000016
【図１５】
2006097644.tif 000017
【図１６】
2006097644.tif 000018